(57)【要約】【課題】小型かつ構造が簡単であり、移動の際に発生する駆動音が静かなカメラのインナースライド式のバリア機構を提供する。【解決手段】第１の位置と、第２の位置とにスライド移動するバリア部材を具備するカメラのスライドバリア機構において、バリア部材１１０の一方の面に設けられた複数のエレクトレット化部位と、バリア部材１１０をスライド自在に保持する保持部と、バリア部材１１０に設けられた複数のエレクトレット化部位に対向する保持部の面に設けられた複数の電極と、複数の電極に対して選択的に電圧を印加することにより、複数の電極と複数のエレクトレット化部位との間に静電力を発生させ、さらに複数の電極に対して印加する電圧を時間的に変化させることによりバリア部材１１０を移動させる駆動手段１０９と、を具備することを特徴とする。【選択図】図１
2005128350.tif 000002
【特許請求の範囲】
【請求項１】
第１の位置と、第２の位置とにスライド移動するバリア部材を具備するカメラのスライドバリア機構において、
上記バリア部材の一方の面に設けられた複数のエレクトレット化部位と、
上記バリア部材をスライド自在に保持する保持部と、
上記バリア部材の上記複数のエレクトレット化部位に対向する、上記保持部の面に配設された複数の電極と、
上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、
を具備することを特徴とするカメラのスライドバリア機構。
【請求項２】
被写体光束を通過させる開口部を有する前カバーと、
上記開口部を遮蔽する第１の位置と、上記開口部を開放する第２の位置とにスライド移動するバリア部材と、
上記前カバーに固定され、上記バリア部材をスライド自在に保持する保持部材と、
上記バリア部材の一方の面に設けられ、複数のエレクトレット化部位を有するエレクトレットフィルムと、
上記バリア部材の上記エレクトレットフィルムに対向する、上記保持部材の面に配設された複数の電極と、
上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、
を具備することを特徴とするカメラのスライドバリア機構。
【請求項３】
レンズ鏡筒の前面を覆う第１の位置と、レンズ鏡筒の前面から退避した第２の位置とにスライド移動するバリア部材と、
上記バリア部材に設けられたスライド凸部と、
上記スライド凸部が嵌入されるガイド溝を有するバリア受け部と、
上記バリア部材の裏面に固定され、複数のエレクトレット化部位が設けられているエレクトレットフィルムと、
上記バリア受け部に設けられた複数の電極と、
上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、
を具備することを特徴とするカメラのスライドバリア機構。
【請求項４】
上記バリア部材は、上記レンズ鏡筒が沈胴状態にあるときは第１の位置に、また上記レンズ鏡筒が撮影可能状態にあるときは第２の位置に、上記駆動手段により移動することを特徴とする請求項３に記載のカメラのスライドバリア機構。
【発明の詳細な説明】
【技術分野】
【０００１】
本発明は、カメラのスライドバリア機構、詳しくは、カメラの撮影レンズ、表示画面、ファインダまたは開口部等の前面を覆う全閉位置とそれらが露呈される全開位置とに移動するカメラのスライドバリア機構に関する。
【背景技術】
【０００２】
撮影レンズ鏡筒がカメラ本体内に収納されるレンズ沈胴式カメラにおけるスライド式のバリア機構には、カメラ本体の前面を構成する前カバーの内側にあって、撮影レンズ鏡筒がカメラ本体内に収納された際、撮影レンズ鏡筒の前面にスライド移動し、撮影レンズ鏡筒の前面を覆ってレンズを保護する形式の内蔵型スライドバリア機構が周知である。また、このような内蔵型スライドバリア機構が組み込まれた、所謂インナースライドバリア付きカメラは、例えば特許文献１に開示されている。
【０００３】
特許文献１に開示されたインナースライドバリア付きカメラは、カメラ本体の底部にスライドバリア及び撮影レンズ鏡筒を駆動するモータを配置し、モータ及びギヤ等から構成される駆動力伝達機構からの駆動力をクラッチ機構によって切り替えながら、スライドバリアまたは撮影レンズ鏡筒を駆動するようになっている。このようにインナースライドバリアは、構造上、及びデザイン上の観点から電動駆動されるのが一般的である。
【特許文献１】特開平１０−３１９４７５号公報
【発明の開示】
【発明が解決しようとする課題】
【０００４】
しかしながら、特許文献１に開示されたクラッチ機構や駆動力伝達機構をカメラ本体に設けると、該カメラ本体の構造が複雑になり、またカメラ本体が大型化してしまうといった欠点がある。また、クラッチ切り換えの際、及びギヤ回転の際に発生する機械音は、カメラ使用者にとっては非常に煩わしい騒音である。この問題は、撮影レンズの前面に配置されるスライドバリアに限ったことではなく、カメラの表示画面やファインダ、その他の開口部についても同様である。
【０００５】
本発明の目的は、これらの事情に鑑みてなされたものであり、小型かつ構造が簡単であり、移動の際に発生する駆動音が静かなカメラのスライドバリア機構を提供するにある。
【課題を解決するための手段】
【０００６】
上記目的を達成するために本発明によるカメラのスライドバリア機構は、第１の位置と、第２の位置とにスライド移動するバリア部材を具備するカメラのスライドバリア機構において、上記バリア部材の一方の面に設けられた複数のエレクトレット化部位と、上記バリア部材をスライド自在に保持する保持部と、上記バリア部材の上記複数のエレクトレット化部位に対向する、上記保持部の面に配設された複数の電極と、上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、を具備することを特徴とする。
【０００７】
また、本発明によるカメラのスライドバリア機構は、被写体光束を通過させる開口部を有する前カバーと、上記開口部を遮蔽する第１の位置と、上記開口部を開放する第２の位置とにスライド移動するバリア部材と、上記前カバーに固定され、上記バリア部材をスライド自在に保持する保持部材と、上記バリア部材の一方の面に設けられ、複数のエレクトレット化部位を有するエレクトレットフィルムと、上記バリア部材の上記エレクトレットフィルムに対向する、上記保持部材の面に配設された複数の電極と、上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、を具備することを特徴とする。
【０００８】
さらに、本発明によるカメラのスライドバリア機構は、レンズ鏡筒の前面を覆う第１の位置と、レンズ鏡筒の前面から退避した第２の位置とにスライド移動するバリア部材と、上記バリア部材に設けられたスライド凸部と、上記スライド凸部が嵌入されるガイド溝を有するバリア受け部と、上記バリア部材の裏面に固定され、複数のエレクトレット化部位が設けられているエレクトレットフィルムと、上記バリア受け部に設けられた複数の電極と、上記複数の電極に対して選択的に電圧を印加することにより、上記複数の電極と上記複数のエレクトレット化部位との間に静電力を発生させ、さらに複数の電極に対して印加する電圧を時間的に変化させることにより上記バリア部材を移動させる駆動手段と、を具備することを特徴とし、また、上記バリア部材は、上記レンズ鏡筒が沈胴状態にあるときは第１の位置に、また上記レンズ鏡筒が撮影可能状態にあるときは第２の位置に、上記駆動手段により移動することを特徴とする。
【発明の効果】
【０００９】
本発明のスライドバリア機構は、小型かつ構造が簡単であり、移動の際に発生する駆動音が静かなカメラのスライドバリア機構を提供することができる。
【発明を実施するための最良の形態】
【００１０】
以下、図面を参照して本発明の実施の形態を説明する。尚、本実施の形態においては、カメラは、デジタルカメラを例に挙げて説明する。また、本実施の形態のデジタルカメラは、例えば携帯状態等の非動作状態においては、撮影レンズ鏡筒がカメラ本体内に収納される、所謂レンズ沈胴式カメラである。さらに、本実施の形態のスライドバリアは、カメラ本体に内蔵され、撮影レンズ鏡筒が突出するのに先立って撮影レンズ鏡筒の前面から退避するように駆動される、インナースライド式のスライド式レンズバリアを例に挙げて説明する。
【００１１】
（第１実施の形態）
図１は、本発明の第１実施の形態を示すスライド式レンズバリア機構を有するデジタルカメラの電気回路の構成の概略を示すブロック図である。  
図１に示すように、デジタルカメラ１は、カメラ本体１０と、該カメラ本体１０に配設され、撮影状態においてはカメラ本体１０から突出する撮影レンズ鏡筒５と、カメラ本体１０に取り付けられた前カバー４とにより、その主要部が構成されている。
【００１２】
デジタルカメラ１の全体の動作を制御するＣＰＵ等の制御回路からなるカメラ本体１０のシーケンス制御部１００には、カメラを撮影可能状態な動作状態、または撮影不能状態な非動作状態の何れかに設定するためのメインスイッチ釦１１５に連動しているメインスイッチ１１４と、図示しないレリーズ釦等の各種操作釦の操作に連動した複数のスイッチを含む各種状態スイッチ１１２とがそれぞれ接続されている。
【００１３】
また、シーケンス制御部１００には、撮影レンズ鏡筒５の撮影レンズ１１１を通過した被写体光束により被写体を撮像する、例えばＣＣＤまたはＣＭＯＳイメージャ等の固体撮像素子により構成された撮像部（以下、ＣＣＤと称す）１０４からの画像信号に、明るさ調整処理等を行う画像処理部１０５が接続されている。
【００１４】
さらに、シーケンス制御部１００には、撮影レンズ１１１の焦点調節を行うピント調節部１０８と、例えばステッピングモータから構成され、シーケンス制御部１００からのパルス制御により撮影レンズ鏡筒５の光軸方向の前後動を制御して、撮影レンズ鏡筒５を沈胴位置（図２参照）または突出位置（図３参照）に移動させる沈胴駆動部１０２と、撮影レンズ鏡筒５内の絞り兼用シャッタ１１３を駆動する絞り調節部１０３と、後述するスライド式レンズバリア１１０を駆動する機構を含む駆動手段としてのバリア駆動部１０９とがそれぞれ接続されている。
【００１５】
更に、画像処理部１０５には、ＣＣＤ１０４により撮像され、画像処理部１０５により画像が処理された画像信号を記憶する画像記憶部１０６と、画像処理部１０５により画像が処理された画像信号による画像を表示する、例えばＬＣＤから構成された画像表示部１０７とがそれぞれ接続されている。
【００１６】
図２は、図１のデジタルカメラのスライド式レンズバリア全閉位置を示す斜視図、図３は、図２のデジタルカメラのスライド式レンズバリア全開位置にて撮影レンズ鏡筒が撮影可能位置に繰り出されている状態を示す斜視図である。尚、以下の説明では、図中、被写体側の面を前面、この前面と反対側の面を背面と称す。
【００１７】
図２、図３に示すように、デジタルカメラ１のカメラ本体１０には、該カメラ本体１０の前面に前カバー４が取り付けられている。そして、この前カバー４の前面の中央右寄りには、被写体光束を通過させる開口部２が形成されている。
【００１８】
この開口部２に対応するデジタルカメラ１のカメラ本体１０内には、被写体を撮像するための複数の撮影レンズ１１１（図１参照）を保持する沈胴式の撮影レンズ鏡筒５が配設されており、また、前カバー４の背面には、非動作状態の際に図２に示すようにカメラ本体１０内に沈胴した撮影レンズ鏡筒５及び撮影レンズ１１１の前面を覆って、撮影レンズ１１１を保護するバリア部材である、所謂インナースライド式レンズバリア（以下、バリアと称す）１１０が、カメラ本体１０及び前カバー４に対してスライド移動可能に配設されている。
【００１９】
バリア１１０は、カメラの非動作状態においては、図２に示すように撮影レンズ鏡筒５及び撮影レンズ１１１の前面を覆い撮影が禁止される第１の位置である全閉位置と、カメラの動作状態においては図３に示すように、撮影レンズ鏡筒５及び撮影レンズ１１１の前面から退避し、撮影レンズ鏡筒が完全に露呈する第２の位置である全開位置とに、バリア駆動部１０９（図１参照）の駆動制御により移動する。
【００２０】
次に、バリア機構の構成について詳細に説明すると、図４は、図２，図３のデジタルカメラを後方右斜め上方から見た分解斜視図、図５は、図４のデジタルカメラの前カバーの内側に固定される保持部の拡大分解斜視図、図６は、図５の保持部にバリアを配設する保持部の拡大分解斜視図、図７は、開口部からバリアが退避された状態を示す、図４の保持部の透視図、図８は、開口部にバリアが挿入された状態を示す、図４の保持部の透視図、図９は、図８中のＩＸ−ＩＸ線に沿う横断面図、図１０は、図５乃至図８のバリアの拡大図である。
【００２１】
図４に示すように、前カバー４の背面４ａには、内部にバリア１１０をスライド自在に保持する横長の長方形状の板体からなる保持部材である保持部５０が、例えば４つのビス５２により固定されている。保持部５０は、図４乃至図６に示すように、保持枠５１と電極基板６０とバリア１１０と保持蓋５３とにより構成されている。
【００２２】
保持枠５１には、電極基板６０が図５に示すように戴置される平面凹部５１ａと、この平面凹部５１ａの左半部側（図５において）に、保持枠５１を貫通し、前カバー４の開口部２に対応し、同開口部２の外周を覆うように長方形状に形成された被写体光束を通過させるための開口部５１ｂと、保持部５１の４隅に形成され、保持部５０を前カバー４の背面に固定するため、及び保持蓋５３を保持枠５１に固定するための４つのビス５２が挿通される４つの挿通孔５１ｃと、電極基板６０のリード部を保持部５０から延出させる際、電極基板６０のリード部が挿通される切り欠き５１ｄとがそれぞれ形成されている。このリード部の端部には、コネクタ部６０ａが形成されている。
【００２３】
電極基板６０には、被写体光束を通過させるための長方形状の開口部６０ｂが形成されており、また開口部６０ｂ以外の位置であって電極基板６０の一方の面には、図５乃至図８に示すように、複数の走査用電極６１が電極基板６０の表面の同一平面内において長手方向と直交する方向に沿って、例えば０．０５ｍｍピッチとなるよう形成されている。尚、開口部６０ｂは、電極基板６０を図４に示すように保持枠５１の平面凹部５１ａに戴置した際、保持枠５１に形成された開口部５１ｂと一致するように形成されている。
【００２４】
走査用電極６１は、シーケンス制御部１００（図１参照）の制御下において多相交流電圧が印加されることにより、バリア１１０の後述するエレクトレットフィルム１１０ｂ（図６参照）の複数のエレクトレット化された部位１１０ｃ（図１０参照）との間に図９に示すように静電力である静電反発力または静電吸引力Ｆを発生する。
【００２５】
バリア１１０は、図６に示すように、バリア基材１１０ａとエレクトレットフィルム１１０ｂとにより構成されており、バリア基材１１０ａの一方の面、詳しくは電極基板６０の走査用電極６１が複数形成された面に対向する面には、エレクトレットフィルム１１０ｂがバリア基材１１０ａに重畳されて形成されている。
【００２６】
バリア１１０は、図４，図６に示すように、保持部材５０の保持枠５１と保持蓋５３とにより形成される封止空間、即ち、保持枠５１と保持蓋５３との間にスライド移動自在に挟み込まれるようにして配置されている。
【００２７】
そして、バリア１１０は、保持枠５１と保持蓋５３とにより形成される封止空間内を後述するシーケンス制御部１００の制御下におけるバリア駆動部１０９（いずれも図１参照）の駆動制御により保持部材５０に対して静電力により相対スライド移動するようになっている。このように電極基板６０とバリア１１０とバリア駆動部１０９とは、公知の静電アクチュエータを構成している。
【００２８】
さらに、エレクトレットフィルム１１０ｂの一方の面、即ち、電極基板６０に形成された複数の走査用電極６１に対向する面には、図１０に示すように、高温にした材料に電界をかけ、そのまま常温まで冷却する公知のサーモ法、常温において材料に電界をかけコロナ放電をさせる公知のコロナ法、または真空中において材料に電子線を照射する公知の電子ビーム法等により、正負極が交互に帯電された状態の部位、即ちエレクトレット化（永久分極化）された部位１１０ｃがエレクトレットフィルム１１０ｂの長手方向に、一定のピッチ間隔ｄ（図１２参照）により複数形成されている。尚、この複数のエレクトレット化された部位１１０ｃのピッチ間隔と、電極基板６０の走査用電極６１のピッチ間隔は、例えば１：２となっている。
【００２９】
保持蓋５３は、保持枠５１との間の上記封止空間内にバリア１１０を配置するために、保持枠５１の平面凹部５１ａを覆うように、４つのビス５２により図４に示すように保持枠５１に固定される。
【００３０】
また、保持蓋５３には、図４に示すように保持蓋５３を貫通する長方形状に形成された被写体光束を通過させる開口部５３ｂが形成されている。この、開口部５３ｂは、保持蓋５３を保持枠５１に固定した際、保持枠５１に形成された開口部５１ｂ及び電極基板６０に形成された開口部６０ｂと一致するように形成されている。
【００３１】
次に、バリア１１０の電極基板６０及び保持部５０に対する相対移動を説明する。  
図１１は、静電アクチュエータを構成するバリア駆動部と走査電極との接続態様を示した電気回路図、図１２は、図１１の走査電極に対するバリアの移動を示した図、図１３は、図１２の走査電極に電圧を印加するタイミングを示したタイミングチャートである。
【００３２】
図１１に示すように、バリア駆動部１０９は、シーケンス制御部１００（図１参照）の制御信号により駆動信号を出力する矩形波信号発生回路８０と、駆動信号の位相を９０°遅らせる位相器８１と、第１の１次巻線８２ａと第２の１次巻線８２ｃと第１の２次巻線８２ｂと第２の２次巻線８２ｄとにより構成された昇圧トランス８２とにより、主要部が構成されている。
【００３３】
電極基板６０の一方の面には、上述したように、複数の走査用電極６１が電極基板６０の表面の同一平面内において長手方向と直交する方向に、例えば０．０５ｍｍピッチとなるよう形成されている。この複数形成された走査用電極６１は、４つの走査電極Ａ，Ｂ，Ｃ，Ｄを１組としてバリア駆動部１０９によってそれぞれ駆動制御される。
【００３４】
矩形波信号発生回路８０の出力端は、昇圧トランス８２の第１の１次巻線８２ａの一端及び位相器８１に接続されており、該位相器８１は、昇圧トランス８２の第２の１次巻線８２ｃの一端に接続されている。また、第１の１次巻線８２ａ及び第２の１次巻線８２ｃの他端は接地されている。
【００３５】
昇圧トランス８２の第１の２次巻線８２ｂの一端は、走査用電極６１の各走査電極Ａに接続されており、第１の２次巻線８２ｂの他端は、走査用電極６１の各走査電極Ｃに接続されている。また、第１の２次巻線８２ｂは中点が接地されている。
【００３６】
昇圧トランス８２の第２の２次巻線８２ｄの一端は、走査用電極６１の各走査電極Ｂに接続されており、第２の２次巻線８２ｄの他端は、走査用電極６１の各走査電極Ｄに接続されている。また、第２の２次巻線８２ｄは中点が接地されている。
【００３７】
システム制御部１００（図１参照）の制御信号により矩形波信号発生回路８０が駆動信号を出力すると、第１の１次巻線８２ａ及び第１の２次巻線８２ｂの電磁誘導作用により、各走査電極Ａ及び各走査電極Ｃには、昇圧された駆動電流の交流信号が入力され多相交流電圧が印加される。尚、この際、上述したように、第１の２次巻線８２ｂは、中点が接地されているため、各走査電極Ｃには、図１３に示すように、各走査電極Ａに入力される信号とは極性が逆の交流信号が入力される。
【００３８】
また、システム制御部１００の制御信号により矩形波信号発生回路８０が駆動信号を出力すると、第２の１次巻線８２ｃ及び第２の２次巻線８２ｄの電磁誘導作用により、各走査電極Ｂ及び各走査電極Ｄには、昇圧された駆動電流の交流信号が入力され多相交流電圧が印加される。尚、この際、上述したように、各走査電極Ｂ及び各走査電極Ｄに入力される交流信号は、位相器８１を介しているため、図１３に示すように、各走査電極Ａ及び各走査電極Ｃに入力される交流信号とは、位相が９０°遅れた交流信号が入力される。さらに、上述したように、第２の２次巻線８２ｄは、中点が接地されているため、各走査電極Ｄには、各走査電極Ｂに入力される信号とは極性が逆の交流信号が入力される。
【００３９】
よって、各走査電極Ａ，各走査電極Ｂ，各走査電極Ｃ，各走査電極Ｄには、図１３に示すように、９０°ずつ位相が異なる交流信号が入力され多相交流電圧が印加される。
【００４０】
このように静電アクチュエータを構成する走査電極に対するバリアの移動を説明すると、図１２に示すように、まず駆動信号がバリア駆動部１０９から出力されていない状態ｔ０においては、バリア１１０は、電極基板６０の走査用電極６１上に停止している。
【００４１】
次に、ｔ１のタイミングにおいて、駆動信号がバリア駆動部１０９から出力された場合は、図１３に示すように、各走査電極ＡとＤには、＋（正極）の電圧が、各走査電極ＢとＣには、−（負極）の電圧が印加される。
【００４２】
このことにより、バリア１１０のエレクトレット化された部位１１０ｃの正極と、正極の電圧が印加された各走査電極Ａとの間、及びエレクトレット化された部位１１０ｃの負極と、負極の電圧が印加された各走査電極Ｃとの間には、静電力である静電反発力が発生し、エレクトレット化された部位１１０ｃの正極と、負極の電圧が印加された各走査電極Ｂ及び各走査電極Ｃとの間、並びにエレクトレット化された部位１１０ｃの負極と、正極の電圧が印加された各走査電極Ｄ及び各走査電極Ａとの間には、静電力である静電吸引力が発生するため、バリア１１０は、図１２のｔ１のタイミングに示す位置に移動する。
【００４３】
また、ｔ２のタイミングで、駆動信号がバリア駆動部１０９から出力された場合は、図１３に示すように、各走査電極ＡとＢには、＋（正極）の電圧が、各走査電極ＣとＤには、−（負極）の電圧が印加される。
【００４４】
このことにより、バリア１１０のエレクトレット化された部位１１０ｃの正極と、正極の電圧が印加された各走査電極Ｂとの間、及びエレクトレット化された部位１１０ｃの負極と、負極の電圧が印加された各走査電極Ｄとの間には、静電力である静電反発力が発生し、エレクトレット化された部位１１０ｃの正極と、負極の電圧が印加された各走査電極Ｃ及び各走査電極Ｄとの間、並びにエレクトレット化された部位１１０ｃの負極と、正極の電圧が印加された各走査電極Ａ及び各走査電極Ｂとの間には、静電力である静電吸引力が発生するため、バリア１１０は、図１２のｔ２のタイミングに示す位置に移動する。
【００４５】
さらに、ｔ３のタイミングで駆動信号がバリア駆動部１０９から出力された場合は、図１３に示すように、各走査電極ＡとＤには、−（負極）の電圧が、各走査電極ＢとＣには、＋（正極）の電圧が印加される。
【００４６】
このことにより、バリア１１０のエレクトレット化された部位１１０ｃの正極と、正極の電圧が印加された各走査電極Ｃとの間、及びエレクトレット化された部位１１０ｃの負極と、負極の電圧が印加された各走査電極Ａとの間には、静電力である静電反発力が発生し、エレクトレット化された部位１１０ｃの正極と、負極の電圧が印加された各走査電極Ｄ及び各走査電極Ａとの間、並びにエレクトレット化された部位１１０ｃの負極と、正極の電圧が印加された各走査電極Ｂ及び各走査電極Ｃとの間には、静電力である静電吸引力が発生するため、バリア１１０は、図１２のｔ３のタイミングに示す位置に移動する。
【００４７】
また、ｔ４のタイミングで、駆動信号がバリア駆動部１０９から出力された場合は、図１３に示すように、各走査電極ＡとＢには、−（負極）の電圧が、各走査電極ＣとＤには、＋（正極）の電圧が印加される。
【００４８】
このことにより、バリア１１０のエレクトレット化された部位１１０ｃの正極と、正極の電圧が印加された各走査電極Ｄとの間、及びエレクトレット化された部位１１０ｃの負極と、負極の電圧が印加された各走査電極Ｂとの間には、静電力である静電反発力が発生し、エレクトレット化された部位１１０ｃの正極と、負極の電圧が印加された各走査電極Ａ及び各走査電極Ｂとの間、並びにエレクトレット化された部位１１０ｃの負極と、正極の電圧が印加された各走査電極Ｃ及び各走査電極Ｄとの間には、静電力である静電吸引力が発生するため、バリア１１０は、図１２のｔ４のタイミングに示す位置に移動する。
【００４９】
よって、このｔ１〜ｔ４の状態を繰り返すことにより、バリア１１０は、電極基板６０及び保持部５０に対して静電力により相対移動することができる。このことを利用すれば、バリア１１０を第１の位置である全閉位置と第２の位置である全開位置との間をスライド移動させることができる。尚、電極のピッチｄと交流電圧信号の周波数を調整することにより、エレクトレットフィルムの移動速度は適宜変更することができる。
【００５０】
図１４は、図１のデジタルカメラの撮像動作及びバリアの開閉動作をシーケンス制御部１００の動作を中心にして示したフローチャートである。尚、以下の動作は、シーケンス制御部１００の動作制御により行われる。  
上述したように、通常、カメラが非動作状態に設定されている場合、撮影レンズ鏡筒５は、カメラ本体１０内に位置する沈胴位置（図２参照）にあり、また、バリア１１０はカメラ本体１０内に沈胴した撮影レンズ鏡筒５及び撮影レンズ１１１の前面を覆って、撮影レンズ１１１を保護する第１の位置である全閉位置（図２参照）にある。この位置においては、シーケンス制御部１００は、所謂、省エネ待機状態にある。
【００５１】
シーケンス制御部１００が省エネ待機状態において、カメラ撮影者によりメインスイッチ釦１１５が操作されると、メインスイッチ１１４（いずれも図１参照）がオンされ、メインスイッチ１１４からシーケンス制御部１００に割り込み信号が入力される。シーケンス制御部１００は、上記割り込み信号が入力されると、図１４に示すように、ステップ
Ｓ１において、省エネ待機状態から復帰し、所定のカメラ動作を開始し、ステップＳ２に移行する。
【００５２】
ステップＳ２では、シーケンス制御部１００は、最初に操作された以上に、メインスイッチ釦１１５が操作されても割り込み信号が入らないように、割り込み禁止状態を設定してステップＳ３に移行する。
【００５３】
ステップＳ３では、シーケンス制御部１００は、バリア駆動部１０９の矩形波信号発生回路８０に制御信号を出力することにより、バリア駆動部１０９を制御して上述した手法によりバリア１１０の開動作、詳しくは、図３，図７に示すように、バリア１１０を撮影レンズ鏡筒５または撮影レンズ１１１の前面から退避させ、撮影レンズ鏡筒が完全に露呈する第２の位置である全開位置に移動させる。その後、ステップＳ４に移行する。
【００５４】
ステップＳ４では、シーケンス制御部１００は、沈胴駆動部１０２の駆動制御を行うことにより、撮影レンズ鏡筒５を沈胴位置から突出位置に移動させ、その後、ステップＳ５に移行する。
【００５５】
ステップＳ５では、シーケンス制御部１００は、カメラ本体１０に配設された図示しないレリーズ釦が操作されてｌｓｔ．スイッチがオン（ＯＮ）されているか否かを検出する。１ｓｔ．スイッチがオンされておれば、ステップＳ１２に分岐し、シーケンス制御部１００は、撮像動作を実行するための既知の撮影処理サブルーチンを実行してステップＳ５に戻る。
【００５６】
一方、ステップＳ５において、１ｓｔ．スイッチがオンされていなければ、ステップＳ６に移行し、該ステップＳ６では、シーケンス制御部１００は、例えば各種撮影モードを決定するためのメニュー釦が操作され、メニュースイッチ（いずれも図示されず）がオンされているか否かを検出する。上記メニュースイッチがオンされておれば、ステップＳ１３に分岐して、シーケンス制御部１００は、既知のメニュー処理サブルーチンを実行する。一方、上記メニュースイッチがオンされていなければ、ステップＳ７に移行する。
【００５７】
ステップＳ７では、シーケンス制御部１００は、メインスイッチ釦１１５が操作されてメインスイッチ１１４がオンされているか否かを検出する。メインスイッチ１１４がオンされていなければ、ステップＳ５に戻り、メインスイッチ１１４がオンされておれば、ステップＳ８に移行する。
【００５８】
ステップＳ８では、シーケンス制御部１００は、撮影者が撮像動作を終了しようとしていると判断し、沈胴駆動部１０２の駆動制御を行うことにより、撮影レンズ鏡筒５を突出位置から沈胴位置に移動させ、その後、ステップＳ９に移行する。
【００５９】
ステップＳ９では、シーケンス制御部１００は、バリア駆動部１０９の矩形波信号発生回路８０に制御信号を出力することにより、バリア駆動部１０９を制御して上述した手法によりバリア１１０の閉動作、詳しくは、図２，図８に示すように、バリア１１０を撮影レンズ鏡筒５または撮影レンズ１１１の前面に挿入させ、撮影レンズ鏡筒の前面を覆い撮影が禁止される第１の位置である全閉位置に移動させる。その後、ステップＳ１０に移行する。
【００６０】
ステップＳ１０では、シーケンス制御部１００は、メインスイッチ釦１１５が操作されることにより入力される割り込み信号の入力を許可して、続くステップＳ１１において、シーケンス制御部１００は、省エネ待機状態に入る。
【００６１】
このように、本発明の第１実施の形態を示すカメラのスライド式レンズバリア機構においては、バリア１１０の移動を、シーケンス制御部１００の制御下におけるバリア駆動部１０９の駆動制御により、電極基板６０の複数の走査用電極６１と、バリア１１０のエレクトレットフィルム１１０ｂのエレクトレット化された部位１１０ｃとの間に発生する静電力を用いて行った。
【００６２】
このことにより、前カバー４の前面の開口部２にバリアを挿入するのに、クラッチ機構や駆動力伝達機構をカメラ本体内に配設する必要がないため、カメラの大型化を防ぐことができ、また、撮影者にとって煩わしいクラッチ切り換え音、及びギヤ回転の機械音等が発生することがない。
【００６３】
（第２実施の形態）
図１５は、本発明の第２実施の形態を示すスライド式レンズバリア機構を有するデジタルカメラの分解斜視図である。  
この第２の実施形態のスライド式レンズバリア機構を有するデジタルカメラの構成は、上記図１乃至図１４に示したスライド式レンズバリア機構を有するデジタルカメラと殆ど同じであるが、本実施の形態においては、複数の走査用電極をカメラ本体に設けた点のみが異なる。よって、この相違点のみを説明し、第１の実施形態と同様の構成には同じ符号を付し、その説明は省略する。
【００６４】
図１５に示すように、カメラ本体２０の前面略中央右寄りの位置には、横長の長方形状をなす平板状のバリア受け部２５１が前面に重畳されるようにして形成されており、該バリア受け部２５１の上側縁近傍、及び下側縁近傍には、後述するバリア２１０のスライド凸部２１０ｃが嵌入するガイド溝２５１ｃがバリア受け部２５１の長手方向に沿ってそれぞれ設けられている。
【００６５】
また、バリア受け部２５１の前面であって、ガイド溝２５１ｃによって囲まれた領域の右側半部には、バリア受け部２５１を貫通する四角形状に形成されていて、撮影レンズ鏡筒５を通過させ、被写体光束を通過させる開口部２５１ｂが設けられており、さらにバリア受け部２５１の前面であって、ガイド溝２５１ｃによって囲まれた領域の開口部２５１ｂ以外の位置には、走査用電極２６１がバリア受け部２５１の前面の同一平面内において長手方向と直交する方向に沿って、例えば０．０５ｍｍピッチとなるよう複数形成されている。
【００６６】
バリア２１０は、バリア受け部２５１の開口部２５１ｂを覆う四角形状に形成されており、バリア２１０の背面の上側縁部及び下側縁部には、カメラ本体２０のバリア受け部２５１のガイド溝２５１ｃにそれぞれ嵌入するスライド凸部２１０ｃが、後方に突出するように形成されている。また、バリア２１０の一方の面、即ち走査用電極２６１に対向する面には、エレクトレット化された部位を有するエレクトレットフィルム２１０ｂが形成されている。
【００６７】
このバリア２１０は、スライド凸部２１０ｃをそれぞれカメラ本体２０のバリア受け部２５１のガイド溝２５１ｃに嵌入することにより、カメラ本体２０に取り付けられる。
【００６８】
尚、バリア２１０のカメラ本体２０及び走査用電極２６１に対する静電力による第１の位置，第２の位置間の相対移動は、上述した第１実施の形態と同じである。
【００６９】
このようにスライド式レンズバリア機構を構成しても上述した第１実施の形態と同様の効果を得ることができる。
【００７０】
尚、上述した第１実施の形態及び第２実施の形態においては、各走査電極に多相交流電圧が印加されることにより、バリア１１０またはバリア２１０は、第１の位置若しくは第２の位置に移動されると示したが、各走査電極に多相交流電圧が印加されていないときは、バリア１１０あるいはバリア２１０は、例えばクリック機構等の停止機構を用いることにより、第１の位置である全閉位置に停止するよう制御を行っても良い。
【００７１】
また、上述した第１実施の形態及び第２実施の形態においては、スライドバリア機構は、インナースライド式のレンズバリア機構を例に挙げて説明したが、これに限らず、例えばファインダバリア機構や液晶モニタのバリア機構等に適用しても良いことは云うまでもない。
【００７２】
さらに、本実施の形態においては、カメラは、デジタルカメラを例に挙げて説明したが、これに限らず、銀塩カメラ、ビデオカメラ等に用いても良いことは勿論である。
【図面の簡単な説明】
【００７３】
【図１】本発明の第１実施の形態を示すスライド式レンズバリア機構を有するデジタルカメラの電気回路の構成の概略を示すブロック図。
【図２】図１中のデジタルカメラのスライド式レンズバリア全閉状態を示す斜視図。
【図３】図２中のデジタルカメラのスライド式レンズバリア全開状態にて撮影レンズ鏡筒が撮影可能位置に繰り出されている状態を示す斜視図。
【図４】図２，図３のデジタルカメラを後方右斜め上方から見た分解斜視図。
【図５】図４のデジタルカメラにおける前カバーと同カバーの内側に固定される保持部の拡大分解斜視図。
【図６】図５の保持部にバリアを配設した保持部の拡大分解斜視図。
【図７】開口部からバリアが退避された状態を示す保持部の透視図。
【図８】開口部にバリアが挿入された状態を示す保持部の透視図。
【図９】図８中のＩＸ−ＩＸ線に沿う横断面図。
【図１０】図５乃至図８中のバリアの拡大図。
【図１１】静電アクチュエータを構成するバリア駆動部と走査電極との接続態様を示す電気回路図。
【図１２】図１１中の走査電極に対するバリアの移動を示した図。
【図１３】図１２中の走査電極に電圧を印加するタイミングを示したタイミングチャート。
【図１４】図１中のデジタルカメラの撮像動作及びバリアの開閉動作をシーケンス制御部の動作を中心にして示したフローチャート。
【図１５】本発明の第２実施の形態を示すスライド式レンズバリア機構を有するデジタルカメラの分解斜視図。
【符号の説明】
【００７４】
１…デジタルカメラ（カメラ）
２…開口部
４…前カバー
５０…保持部（保持部材）
６１…走査用電極（複数の電極）
１０９…バリア駆動部（駆動手段）
１１０…バリア（バリア部材）
１１０ｂ…エレクトレットフィルム
１１０ｃ…エレクトレット化部位
１１１…撮影レンズ
２１０…バリア（バリア部材）
２１０ｂ…エレクトレットフィルム
２１０ｃ…スライド凸部
２５１…バリア受け部
２５１ｃ…ガイド溝
２６１…走査用電極（複数の電極）
代理人    弁理士    伊藤  進
【図１】
2005128350.tif 000003
【図２】
2005128350.tif 000004
【図３】
2005128350.tif 000005
【図４】
2005128350.tif 000006
【図５】
2005128350.tif 000007
【図６】
2005128350.tif 000008
【図７】
2005128350.tif 000009
【図８】
2005128350.tif 000010
【図９】
2005128350.tif 000011
【図１０】
2005128350.tif 000012
【図１１】
2005128350.tif 000013
【図１２】
2005128350.tif 000014
【図１３】
2005128350.tif 000015
【図１４】
2005128350.tif 000016
【図１５】
2005128350.tif 000017